(57)【特許請求の範囲】
【請求項１】
記録媒体を駆動する駆動手段と、
該駆動手段が支持される支持板と、
該支持板が取り付けられるシャーシと、
一端部と、該一端部の反対側に形成される他端部とを有し、上記記録媒体に対して情報の記録又は再生を行う手段を記録媒体に沿って案内するガイド軸と、
上記シャーシに一体的に設けられ、上記支持板を上記シャーシに対して取り付けるときの基準となる基準部とを備え、
上記支持板は上記基準部に当接して上記シャーシに取り付けられるとともに、上記ガイド軸の上記一端部と上記他端部とが、上記基準部に当接して上記シャーシに取り付けられる
ことを特徴とする記録媒体駆動装置。
【請求項２】
請求項１の記録媒体駆動装置において、
上記ガイド軸の一端部を上記基準部に対して付勢する押圧手段を設けた
ことを特徴とする記録媒体駆動装置。
【請求項３】
請求項２の記録媒体駆動装置において、
上記押圧手段がシャーシに一体に形成された
ことを特徴とする記録媒体駆動装置。
【請求項４】
請求項１の記録媒体駆動装置において、
上記支持板がスピンドルモータのステータ基板である
ことを特徴とする記録媒体駆動装置。
【請求項５】
請求項１の記録媒体駆動装置において、
上記一端部を上記シャーシ上で支持するガイド軸支持部に対して上記一端部を付勢する押圧手段を設けた
ことを特徴とする記録媒体駆動装置。
【請求項６】
請求項１の記録媒体駆動装置において、
上記一端部は、上記ガイド軸のうち上記スピンドルモータ近傍に配置される基準ガイド軸に設けられている
ことを特徴とする記録媒体駆動装置。
【請求項７】
請求項１の記録媒体駆動装置において、
上記ガイド軸の上記他端部を支持するガイド軸支持部は凹形状に形成される
ことを特徴とする記録媒体駆動装置。
【請求項８】
請求項１の記録媒体駆動装置において、
上記ガイド軸は、上記一端部が設けられる基準ガイド軸とサブガイド軸とを有し、
上記基準ガイド軸を支持する上記基準ガイド軸支持部と、上記サブガイド軸を支持するサブガイド軸支持部とが連結して設けられる支持板を有する
ことを特徴とする記録媒体駆動装置。
【請求項９】
請求項１の記録媒体駆動装置において、
上記一端側は上記他端側よりも上記基準部に対して精度良く設けられる
ことを特徴とする記録媒体駆動装置。
【請求項１０】
請求項９の記録媒体駆動装置において、
上記ガイド軸は、基準ガイド軸とサブガイド軸とを有し、
上記基準ガイド軸を支持する上記基準ガイド軸支持部又は上記サブガイド軸を支持するサブガイド軸支持部が上記シャーシに固定される
ことを特徴とする記録媒体駆動装置。
【発明の詳細な説明】
【０００１】
【発明の属する技術分野】
本発明は新規な記録媒体駆動装置に関する。詳しくは、記録媒体ディスクの信号の読取又は書き込みを行うピックアップを、記録媒体ディスクの半径方向に移動自在に支持するガイド軸の位置精度を向上させると共に、そのための構成を簡略化し、工数の削減、製造コストの低減を図る技術に関する。
【０００２】
【従来の技術】
記録媒体ディスクに情報を書き込み又は記録媒体ディスクに記録されている情報を読みとるディスクドライブ装置にあっては、記録媒体ディスクの半径方向に移動するピックアップによって情報の読取又は書き込みを行っているが、記録媒体ディスクに対する正確な情報の書き込み又は読取を行うためには、ピックアップの対物レンズを記録媒体ディスクの半径方向と一致した方向に精度良く移動させる必要がある。
【０００３】
そのため、ディスクドライブ装置にあっては、ピックアップを２本のガイド軸で案内し、かつ、一方のガイド軸の一端を、基準点に対して所定の位置に配設するようになっている。基準点とは、ディスクドライブ装置にあっては、通常、記録媒体ディスクの回転中心、即ち、スピンドル軸とされている。
【０００４】
また、２本のガイド軸のうち、一方のガイド軸（基準ガイド軸）を精度良く位置規制するのは、２本のガイド軸によりピックアップを所定の方向に摺動自在に支持するためには、一方のガイド軸のみを基準軸とすれば足りるからである。また、基準ガイド軸の一端（記録媒体ディスクの内周側端）を精度良く位置規制するのは、ピックアップの対物レンズの移動軌跡のディスクの半径方向に対するズレ（タンジェンシャル方向のズレ）が、基準ガイド軸の内周側端の位置決め精度に大きく影響するためである。
【０００５】
スピンドル軸を回転軸とするスピンドルモータのシャーシに対する取り付けは、一般に、スピンドルモータをモータ支持板に取着し、該モータ支持板を複数（通常は３つ）の支柱を介してシャーシに取着するようになっている。スピンドルモータのシャーシに対する取り付けにおいて、モータ支持板及び支柱を介して行うのは、スピンドル軸に取着されるターンテーブルのシャーシ面に対する高さを、上記支柱の大きさにより適宜設定することができ、装置全体の設計の自由度を高めるためである。
【０００６】
そして、上記基準ガイド軸の一端（内周側端）のスピンドル軸に対する位置決めは、上記シャーシに切起片を形成して、該切起片の一方の側縁に上記基準ガイド軸を押し付けることにより行っている。尚、基準ガイド軸の他端（外周側端）は、シャーシに直接、又はガイド軸を支持する部材（ガイド軸支持板）等を介してシャーシに取着される。
【０００７】
【発明が解決しようとする課題】
ところで、このようなディスクドライブ装置にあっては、基準ガイド軸のスピンドル軸に対する位置決めを行うために、スピンドルモータのモータ支持板に対する取付精度及びモータ支持板のシャーシに対する取付精度を高めることは勿論、上記切起片の形成位置精度を高めなければならず、その分、基準ガイド軸の位置精度が悪くなる。
【０００８】
即ち、基準点に対する位置決めの精度は、その基準点となる部材から位置決めを行おうとする部材までを構成する部品点数、これら部材の寸法精度、取付精度に大きく関わっており、部品点数が少なければ、その分位置精度を高めることができる。
【０００９】
そして、基準ガイド軸の位置精度が悪化すると、ピックアップの移動軌跡と記録媒体ディスクの半径方向との平行度にズレが生じてしまい、ピックアップから出射されるレーザ光の記録媒体ディスクに対する照射位置が、そのピット列方向（タンジェンシャル方向）にズレ、特にトラッキング制御に影響を及ぼすという問題がある。
【００１０】
また、上記切起片をシャーシに形成するためには、切起片をシャーシに対して折り曲げる折曲工程が必要であり、工数が多くなってしまうという問題もあった。
【００１１】
そこで、本発明は、ピックアップを、記録媒体ディスクの半径方向に移動自在に支持するガイド軸の位置精度を向上させることができると共に、そのための構成を簡略化し、工数の削減、製造コストの低減を図ることを課題とする。
【００１２】
【課題を解決するための手段】
本発明記録媒体駆動装置は、上記した課題を解決するために、記録媒体を駆動する駆動手段と、該駆動手段が支持される支持板と、該支持板が取り付けられるシャーシと、一端部と、該一端部の反対側に形成される他端部とを有し、記録媒体に対して情報の記録又は再生を行う手段を記録媒体に沿って案内するガイド軸と、シャーシに一体的に設けられ、支持板をシャーシに対して取り付けるときの基準となる基準部とを備え、支持板は基準部に当接してシャーシに取り付けられるとともに、ガイド軸の一端部と他端部とが、基準部に当接してシャーシに取り付けられるものである。
【００１３】
従って、本発明記録媒体駆動装置にあっては、駆動手段が支持された支持板をシャーシに対して取り付けるときの基準となる基準部と、ガイド軸が位置決めされる際の基準部とが同じ基準部であり、かつ、支持板が基準部に当接してシャーシに取り付けられるとともに、ガイド軸の一端部と他端部とが、基準部に当接してシャーシに取り付けられるように構成したことにより、簡潔な構成でもって、情報の記録又は再生を行う手段と駆動手段との間の位置決め精度を向上させることができる。また、従来のような、切起片をシャーシに対して折り曲げる工程が要らず、構成の簡略化、製造工数の削減、製造コストの低減を図ることができる。
【００１４】
更に、ガイド軸の位置決めを行なうために、既存の部材（支柱）を利用するため、別個に位置決めするだけのための部材が必要なく、その分装置の小型化に寄与することができる。
【００１５】
【発明の実施の形態】
以下に、本発明記録媒体駆動装置の実施の形態を添付図面を参照して説明する。尚、図示した実施の形態は、本発明をノート型パーソナルコンピュータに搭載するＣＤ−ＲＯＭドライブに適用したものである。
【００１６】
ＣＤ−ＲＯＭドライブ１は上下に扁平で前面に開口した外筐２を備え、該外筐２は下側のボトムシャーシ３と該ボトムシャーシ３の上面に固定されたカバー体４とから成り、このような外筐２に引出部５が収納及び引出可能に支持される。尚、本明細書において方向を示すときは、図１における左下方を前方、右上方を後方、左上方を左方、右下方を右方、上方を上方、下方を下方と記述する。
【００１７】
そして、ボトムシャーシ３の右側部には、底上げされた張り出し部３ａが形成されており、ボトムシャーシ３がカバー体４により覆われたときに、上記張り出し部３ａ以外の部分が空間６となって、後述するトレイ７が収納されるようになっている（図１参照）。
【００１８】
引出部５は合成樹脂製のトレイ７に後述するベースユニット８が支持されて成る。尚、図示は省略するが、引出部５の外筐に対する収納及び引出は、引出部５の左右両縁部に設けられたスライド機構により為される。
【００１９】
トレイ７は平面形状で前後方向に長い長方形の外形を有し、その幅は外筐２の空間６の幅より僅かに小さく形成されている（図１参照）。
【００２０】
トレイ７の上面に記録媒体ディスクとしてのＣＤ−ＲＯＭ９を配置する円形の一部を為す凹部１０が形成され、該凹部１０内に後述するベースユニット８を上方へ臨ませるための開口部１１が形成されている（図２参照）。
【００２１】
また、トレイ７の前面には前面パネル１２が取り付けられる。前面パネル１２は合成樹脂で横長の板状に形成され、その左右方向の長さは上記外筐２の左右方向の長さとほぼ同じになっている。
【００２２】
上記引出部５のトレイ７の下面にベースユニット８が支持される。
【００２３】
ベースユニット８は、シャーシ１３に各種部品が搭載されて構成されている。
【００２４】
即ち、シャーシ１３には、ＣＤ−ＲＯＭ９が載置されるターンテーブル１４と、該ターンテーブル１４を回転させるスピンドルモータ１５と、ＣＤ−ＲＯＭ９の記録情報の読み取りを行なう光ピックアップ１６と、該光ピックアップ１６をＣＤ−ＲＯＭ９の半径（Ｒ）方向に移動自在に支持するガイド軸１７、１８と、光ピックアップ１６を移動させるスレッドモータ１９等が搭載されている。尚、光ピックアップ１６は、ガイド軸１７、１８のうち、右手前側に位置するガイド軸１７を基準として案内される様になっており、従って、このガイド軸１７が基準ガイド軸として機能し、左奥側のガイド軸１８がサブガイド軸として機能する（図３参照）。
【００２５】
シャーシ１３は、板金材料から成り、ゴムダンパー２０、２０、２０を介してトレイ７の下面に支持される（図２参照）。
【００２６】
シャーシ１３にはそのほとんどを占める大きな開口部２１が形成されている。該開口部２１は左前から右後方に向けて延びるほぼ長方形状を為し、その後縁はほぼ左右方向に延びるように他の部分に対して傾斜したピックアップ用開口部２１ａと、該ピックアップ用開口部２１ａの後縁に連続しほぼ半円形を為すターンテーブル用開口部２１ｂと、ピックアップ用開口部２１ａの右前方を向いた側縁のほゞ中央部に連続しほぼ半円強の形状を為すスレッドモータ用開口部２１ｃとが連続して形成されて成り、更に、ピックアップ用開口部２１ａの右後端部が更に右斜め後方に延びるように連続してガイド軸支持用開口部２１ｄが形成されている（図３、図５参照）。
【００２７】
ターンテーブル１４はその上端部が上記ターンテーブル用開口部２１ｂからシャーシ１３の上方に突出するように配置される。即ち、スピンドルモータ１５を支持したモータ支持板としてのステータ基板２２がシャーシ１３の下面に３つの支柱２３、２３、２３を介して固定され、上記スピンドルモータ１５のスピンドル軸２４にターンテーブル１４が一体化されることによって、ターンテーブル１４が上記位置に配置される（図３、図５参照）。
【００２８】
具体的には、ピックアップ用開口部２１ａの後縁で、ターンテーブル用開口部２１ｂのピックアップ用開口部２１ａ側の左縁部及び右縁部とターンテーブル用開口部２１ｂの奥縁部に、支柱２３ａ、２３ｂ、２３ｃがそれぞれカシメにより下方へ突設されており、これら３つの支柱２３ａ、２３ｂ、２３ｃは同じ形状に形成され（図５参照）、また、これらの下端面には、ネジ孔が形成されている。
【００２９】
スピンドルモータ１５が支持されたステータ基板２２には、上記３つの支柱２３ａ、２３ｂ、２３ｃに対応する位置に、ネジ挿通孔２５、２５、２５が形成され（図５参照）、これらネジ挿通孔２５、２５、２５のうち、ピックアップ用開口部２１ａの右縁部に立設された支柱２３ｂに対応するネジ挿通孔（以下、「基準ネジ挿通孔」という。）２５ｂが、スピンドルモータ１５のスピンドル軸２４を基準として精度良く位置決めされている。
【００３０】
そして、ステータ基板２２をそのネジ挿通孔２５ａ、２５ｂ、２５ｃが３つの支柱２３ａ、２３ｂ、２３ｃのネジ孔に一致するようにして重ね合せ、ネジ２６、２６、２６を螺合することにより、ステータ基板２２がシャーシ１３に取着される。
【００３１】
この状態で、基準ネジ挿通孔２５ｂがピックアップ用開口部２１ａの右縁部に立設された支柱２３ｂのネジ孔に一致されているため、該支柱２３ｂの位置は、スピンドル軸２４との関係で、精度良く位置決めされる。これにより、該支柱２３ｂは、シャーシ１３における各部位、各部品等の取り付け位置、寸法等における基準となり、以下、基準支柱２３ｂという。
【００３２】
シャーシ１３の上記基準支柱２３ｂの右斜め後方であって、ガイド軸支持用開口部２１ｄの左後方を向いた縁部に斜め下方に延びる押付片２７がシャーシ１３に一体に形成されている。これにより、シャーシ１３を水平でかつ左斜め前方からガイド軸支持用開口部２１ｄを見たときに（図６におけるＡ矢視）、押付片２７と基準支柱２３ｂとの間に、下方に開口するほぼ逆Ｖ字状の空間２８が形成される（図６、図７参照）。
【００３３】
光ピックアップ１６は、上記ピックアップ用開口部２１ａ内を上記ターンテーブル１４に対して離接する方向に移動自在に配置される（図１３参照）。
【００３４】
光ピックアップ１６は移動ベース２９に半導体レーザ等を有する図示しない光学ブロック、レーザ光を上記ターンテーブル上に載置されたＣＤ−ＲＯＭ９に集光させる対物レンズ３０、該対物レンズ３０をフォーカシング方向及びトラッキング方向に移動させる図示しない２軸アクチュエータ等が搭載されて成る（図１１参照）。
【００３５】
そして、光ピックアップ１６の対物レンズ３０の上方から見た移動軌跡が、ターンテーブル１４に載置されたＣＤ−ＲＯＭ９の半径（Ｒ）方向と一致するようになっている（図１３参照）。
【００３６】
そして、上記移動ベース２９は基準ガイド軸１７とサブガイド軸１８とによって案内されて移動する。基準ガイド軸１７は丸棒状を為し、サブガイド軸１８は板金材料を折り曲げて形成されている（図１０、図１２参照）。尚、移動ベース２９は、基準ガイド軸１７を基準にして移動されるようになっており、従って、基準ガイド軸１７はスピンドル軸２４に対して精度良く位置決めされる必要がある。
【００３７】
サブガイド軸１８は、上記２個のガイド軸１７、１８を一体的に支持してガイド軸アッシー３１とするガイド軸支持板３２と一体に形成されている（図５参照）。
【００３８】
ガイド軸支持板３２はバネ弾性を有する板金材料で形成され、上記ピックアップ用開口部２１ａの先端部の幅よりやや長い板状を為し、その右端部に基準ガイド軸支持部３３が形成され、左端部にサブガイド軸連結部３４が形成され、さらに、前縁の左右方向における中央部に取付片３５が突設されている（図５参照）。
【００３９】
上記基準ガイド軸支持部３３及びサブガイド軸連結部３４にはそれぞれネジ孔３３ａ、３４ａが形成されている（図９参照）。
【００４０】
また、基準ガイド軸支持部３３のネジ孔３３ａの右後方には、断面円弧状の凹部３６が形成されており、該凹部３６に基準ガイド軸１７の前端部（以下、「外周側端部」という。）１７ａが載置され、該基準ガイド軸１７は、凹部３６に載置された状態で、レーザー溶接等により基準ガイド軸支持部３３に固定されている（図１０参照）。
【００４１】
これにより、基準ガイド軸１７は、丸棒状のままでこれに加工を施すことなく、基準ガイド軸支持部３３に固定することができ、また、固定するときの基準ガイド軸１７の支持は極めて簡単に済み、その分、固着工程を簡略化することができ、更に、基準ガイド軸支持部３３の凹部３６の位置さえ精度良く形成しておけば、基準ガイド軸１７の外周側端部１７ａにおける位置精度を高めることができ、よって、基準ガイド軸１７のＣＤ−ＲＯＭ９の半径（Ｒ）方向に対する平行度を確保するのに寄与する。
【００４２】
サブガイド軸１８は長い板状の板金材料の一側縁部をＵ字状に折り曲げてガイド部１８ａが形成され、該ガイド部１８ａの後端に連続して取付片１８ｂが突設され、ガイド部１８ａの前端がガイド軸支持板３２のサブガイド軸連結部３４に一体に連続されている。
【００４３】
このようにして、ガイド軸支持板３２に基準ガイド軸１７及びサブガイド軸１８が一体化されてガイド軸アッシー３１が形成される（図５参照）。
【００４４】
そして、ガイド軸アッシー３１は、以下のようにして、シャーシ１３に支持される（図５参照）。
【００４５】
先ず、基準ガイド軸１７及びサブガイド軸１８のそれぞれの前端部は、次のようにして、シャーシ１３に支持される。
【００４６】
即ち、シャーシ１３のうち上記ピックアップ用開口部２１ａの前端の中央に対応した縁部の下面に上記ガイド軸支持板３２の取付片３５がネジ止め等の適宜な手段によって固定される。また、シャーシ１３の上記ネジ孔３３ａ、３４ａに対応した位置に形成されたネジ挿通孔３７、３７を上方から挿通された調整ネジ３８、３８（図５参照）が上記ネジ孔３３ａ、３４ａに各別に螺合される。
【００４７】
そして、上記したように、ガイド軸支持板３２の材料はバネ弾性を有する板金材料であるので、上記調整ネジ３８、３８をネジ孔３３ａ、３４ａに対して捩じ込むと、基準ガイド軸支持部３３、サブガイド軸連結部３４がシャーシ１３に近づき、逆に、調整ネジ３８、３８をネジ孔３３ａ、３４ａに対して捩じ戻すと、基準ガイド軸支持部３３、サブガイド軸連結部３４がシャーシ１３から遠去かる。かかる調整ネジ３８、３８の調整は、後述するスキュー調整になる（図９参照）。
【００４８】
サブガイド軸１８は、その後端部の取付片１８ｂがシャーシ１３にネジ止めにより固定される（図５参照）。
【００４９】
また、基準ガイド軸１７の後端部（内周側端部）１７ｂのシャーシ１３への取着は、ステータ基板２２をシャーシ１３に取着するときに、同時に為される。
【００５０】
即ち、基準ガイド軸１７の内周側端部１７ｂを、シャーシ１３に形成された上記押付片２７と基準支柱２３ｂとが為す逆Ｖ字状空間２８に位置させ、ステータ基板２２をシャーシ１３に固定する際に、ステータ基板２２と基準支柱２３ｂと押付片２７との間で基準ガイド軸１７を挾持する（図７参照）。
【００５１】
このとき、押付片２７の弾発力により、基準ガイド軸１７の内周側端部１７ｂは基準支柱２３ｂ及びステータ基板２２に押し付けられて、位置決めされる。即ち、押付片２７は、基準ガイド軸１７の内周側端部１７ｂを基準支柱２３ｂに押し付ける押圧手段として機能する。
【００５２】
基準ガイド軸１７の内周側端部１７ｂは、基準支柱２３ｂに押し付けられることにより、基準支柱２３ｂに対して精度良く位置決めされることになり、従って、スピンドル軸２４に対する位置決めが精度良くなされたことになる。
【００５３】
そして、上述したように、基準ガイド軸１７の外周側端部１７ａが、位置精度良く形成した基準ガイド軸支持部３３の凹部３６に支持されているので、基準ガイド軸１７は、ＣＤ−ＲＯＭ９の半径（Ｒ）方向に対する平行度が、精度良く確保されることになり、これにより、光ピックアップ１６の対物レンズ３０の上方から見た移動軌跡が、ターンテーブル１４に載置されたＣＤ−ＲＯＭ９の半径（Ｒ）方向と一致する。
【００５４】
尚、基準ガイド軸１７の両端部（外周側端部１７ａと内周側端部１７ｂ）に関するスピンドル軸２４を基準点とする位置精度を比較すると、内周側端部１７ｂの位置精度の方が、精度良く位置決めされている。
【００５５】
即ち、基準支柱２３ｂに対して基準ガイド軸１７にほぼ直交する方向における位置決めが為され、また、ステータ基板２２に対してスピンドル軸２４の軸方向における位置決めが為される。しかも、かかる位置決めの基準が、基準支柱２３ｂ及びステータ基板２２であるため、スピンドル軸２４に対する位置決めが精度良く為されることになる（図７参照）。
【００５６】
これにより、光ピックアップ１６の対物レンズ３０の移動軌跡のＣＤ−ＲＯＭ９の半径（Ｒ）方向に対するズレ（タンジェンシャル方向のズレ）は、基準ガイド軸１７の内周側端部の位置決め精度に大きく影響されるためであり、従って、基準ガイド軸１７の内周側端部１７ｂの位置決めを精度良く行っておけば、基準ガイド軸１７の外周側端部１７ａの位置決めが、多少ラフになっても、トラッキングエラー等の問題は生じない。
【００５７】
移動ベース２９の右端には被案内部３９、３９が突設されこれら被案内部３９、３９の間の部分に連結部４０が形成され、該連結部４０に連結孔４０ａが形成されている。また、上記被案内部３９、３９には同軸上に位置する被案内孔３９ａ、３９ａが形成されている。さらに、移動ベース２９の左端には上下に離間し且つ平行に突出した被案内片４１、４１が形成されている（図１１参照）。
【００５８】
しかして、上記基準ガイド軸１７が移動ベース２９の被案内孔３９ａ、３９ａに摺動自在に挿通され、また、移動ベース２９の被案内片４１、４１が上記サブガイド軸１８の上下両面に各別に摺動自在に当接し、これによって、光ピックアップ１６は基準ガイド軸１７及びサブガイド軸１８に案内されて移動するようにシャーシ１３に支持される（図１２参照）。
【００５９】
そして、ターンテーブル１４上に載置されたＣＤ−ＲＯＭ９に集光されるレーザ光のＣＤ−ＲＯＭ９に対する垂直度の調整、即ち、スキュー調整は、上記調整ネジ３８、３８を操作して、基準ガイド軸支持部３３及び／又はサブガイド軸連結部３４のシャーシ１３との間の間隔、即ち、基準ガイド軸１７及び／又はサブガイド軸１８のシャーシ１３と間の間隔を調整することによって行う。
【００６０】
次に、上記光ピックアップ１６をターンテーブル１４上に載置されるＣＤ−ＲＯＭ９の半径（Ｒ）方向に移動させる機構について説明する。
【００６１】
スレッドモータ１９を支持したモータ支持板４２がシャーシ１３の下面に３つの支柱４３、４３、４３を介して固定され、スレッドモータ１９はスレッドモータ用開口部２１ｂに位置される。スレッドモータ１９のロータ１９ａの外周部にはそのほぼ半周にわたって駆動ギヤ部４４が形成されている（図１３参照）。
【００６２】
上記光ピックアップ１６にはラック部材４５が連結される。
【００６３】
ラック部材４５は合成樹脂で形成され、細長い板状をしたラック部４６の一方の面にはラック歯４６ａ、４６ａ、・・・が長手方向に配列形成されている。ラック部４６のラック歯４６ａ、４６ａ、・・・形成面と反対側の面には連結片４７が突設されており、該連結片４７の先端部には連結ピン４７ａが垂設されている。また、連結片４７が形成された面の連結片４７を挟んだ２つの位置には倒立Ｌ字状をした係合片４８、４８が形成されている（図１１参照）。
【００６４】
しかして、ラック部材４５の係合片４８、４８が上記基準ガイド軸１７に摺動自在に係合され、また、連結片４７の連結ピン４７ａが上記光ピックアップ１６の移動ベース２９の連結孔４０ａに係合され、これによって、移動ベース２９とラック部材４５とが一体的に基準ガイド軸１７及びサブガイド軸１８に案内されて移動されるようになる。
【００６５】
また、ラック部材４５のラック歯４６ａ、４６ａ、・・・は上記駆動ギヤ部４４と噛合される。従って、スレッドモータ１９が駆動されることによって、回転する駆動ギヤ部４４によってラック部材４５が送られ、これと一体的に光ピックアップ１６が基準ガイド軸１７及びサブガイド軸１８に案内されてターンテーブル１４上に載置されたＣＤ−ＲＯＭ９の半径（Ｒ）方向に移動することになる（図１３参照）。
【００６６】
そして、上述したように、光ピックアップ１６の対物レンズ３０は、スピンドル軸２４を基準として、精度良く位置決めされた基準ガイド軸１７に案内されて移動するため、その上方から見た移動軌跡は、ターンテーブル１４に載置されたＣＤ−ＲＯＭ９の半径（Ｒ）方向と一致する。
【００６７】
尚、上記実施の形態においては、サブガイド軸１８をガイド軸支持板３２と一体に形成したが、ガイド軸支持板とは別体に形成し、サブガイド軸をガイド軸支持板に固定するようにしても良い。
【００６８】
図１４乃至図１６は、押圧手段としての押付片の変形例を示すものである。
【００６９】
尚、この変形例に示す押付片２７Ａが、上記実施の形態において示した押付片２７と相違するところは、シャーシ１３と別体に形成したものである点及び基準ガイド軸を基準支柱とシャーシに押し付けるように設けた点のみである。従って、その相違する部分についてのみ説明し、相違しない部分については説明を省略すると共に、要部以外の部分であって上記実施の形態におけると同様の部分については、上記実施の形態における同様の部分に付した符号と同じ符号を付することによってその説明を省略する。
【００７０】
基準支柱２３ｂは、シャーシ１３のガイド軸支持用開口部２１ｄの右後端部のやや左方に取着されており、基準支柱２３ｂの右方であって、ガイド軸支持用開口部２１ｄの後端縁のやや右斜め後方には、ネジ孔４９が形成されている。
【００７１】
該ネジ孔４９には、板金材料からなりほぼヘの字状に屈曲された押付片２７Ａがネジ５０により取着されており、その先端は左斜め後方の下方に延びるように配設される（図１４参照）。
【００７２】
そして、基準ガイド軸１７の内周側端部１７ｂのシャーシ１３への取り付けは、上記押付片２７Ａをシャーシ１３に取着する前に、基準ガイド軸１７の内周側端部１７ｂを、シャーシ１３に取着された基準支柱２３ｂの右斜め前方に位置させ、その後、押付片２７Ａをシャーシ１３にネジ止めする。
【００７３】
これにより、基準ガイド軸１７の内周側端部１７ｂは押付片２７Ａにより左斜め後方で上方に押圧されることになり、基準支柱２３ｂとシャーシ１３とに押し付けられる（図１５参照）。尚、図１５は、図１４におけるＢ矢視図である。
【００７４】
そして、基準ガイド軸１７の内周側端部１７ｂは、基準支柱２３ｂに押し付けられることにより、基準支柱２３ｂに対して精度良く位置決めされることになり、従って、スピンドル軸２４に対する位置決めが精度良くなされたことになる。
【００７５】
しかして、この変形例にかかる押付片２７Ａによれば、ステータ基板２２をシャーシ１３に取着する前に、ガイド軸アッシー３１をシャーシ１３に取着することができる。
【００７６】
また、この押付片２７Ａによれば、シャーシ１３とは別体の部材で構成するため、シャーシ１３とは異なった材質のものを選択することができ、押圧手段としての機能を充分に発揮する材質を選ぶことができる。
【００７７】
尚、上記実施の形態及び変形例において、基準ガイド軸１７の位置決めのための基準支柱２３ｂをシャーシ１３にカシメたものについて説明したが、本発明ディスクドライブ装置はこれに限らず、支持板としてのステータ基板２２にカシメるようにしても良い。また、シャーシ１３への基準支柱２３ｂの取付けをカシメにより行っているが、これに限らず、ネジ止め、接着などの固定手段により固定しても良い。
【００７８】
また、上記実施の形態において押圧手段（押付片２７）をシャーシ１３に一体に形成し、また、上記変形例においてシャーシ１３と別体に形成した押圧手段（押付片２７Ａ）をシャーシ１３に取り付けたものを示したが、本発明ディスクドライブ装置はこれに限らず、モータ支持板（ステータ基板２２）に一体に形成したり、別体に形成した押圧手段（押付片）をモータ支持板（ステータ基板２２）に取り付けるようにしても良い。
【００７９】
更に、上記実施の形態では、サブガイド軸１８の後端部１８ｂのシャーシ１３へ取付けをネジ止めにより為したが、基準ガイド軸１７と同様に、ステータ基板２２の支柱をサブガイド軸１８の後端部１８ｂの近傍に設け、この支柱に押付片により押し付けるようにしても良い。
【００８０】
さらにまた、上記実施の形態は、本発明をＣＤ−ＲＯＭドライブ１に適用したものを示したが、本発明は、ＣＤ−ＲＯＭドライブ以外のディスクドライブ装置に広く適用することができるものである。
【００８１】
【発明の効果】
以上に記載したところから明らかなように、本発明記録媒体駆動装置は、記録媒体を駆動する駆動手段と、該駆動手段が支持される支持板と、該支持板が取り付けられるシャーシと、一端部と、該一端部の反対側に形成される他端部とを有し、記録媒体に対して情報の記録又は再生を行う手段を記録媒体に沿って案内するガイド軸と、シャーシに一体的に設けられ、支持板をシャーシに対して取り付けるときの基準となる基準部とを備え、支持板は基準部に当接してシャーシに取り付けられるとともに、ガイド軸の一端部と他端部とが、基準部に当接してシャーシに取り付けられることを特徴とする。
【００８２】
従って、本発明記録媒体駆動装置にあっては、駆動手段が支持された支持板をシャーシに対して取り付けるときの基準となる基準部と、ガイド軸が位置決めされる際の基準部とが同じ基準部であり、かつ、支持板が基準部に当接してシャーシに取り付けられるとともに、ガイド軸の一端部と他端部とが、基準部に当接してシャーシに取り付けられるように構成したことにより、簡潔な構成でもって、情報の記録又は再生を行う手段と駆動手段との間の位置決め精度を向上させることができる。また、従来のような、切起片をシャーシに対して折り曲げる工程が要らず、構成の簡略化、製造工数の削減、製造コストの低減を図ることができる。
【００８３】
更に、基準ガイド軸の位置決めを行なうために、既存の部材（支柱）を利用するため、別個に位置決めするだけのための部材が必要なく、その分装置の小型化に寄与することができる。
【００８４】
請求項２及び請求項５に記載した発明にあっては、ガイド軸の一端部を基準部に対して付勢する押圧手段などを設けたので、ガイド軸の一端部が基準部に押し付けられることにより、ガイド軸のスピンドル軸に対する位置精度をさらに向上させることができる。
【００８５】
請求項３に記載した発明にあっては、押圧手段をシャーシに一体に形成するようにしたので、押圧手段を別途、設ける必要がなく、構成の簡略化に寄与することができる。
【００８６】
請求項６乃至請求項１０に記載した発明にあっては、ガイド軸の一端部がガイド軸のうちスピンドルモータ近傍に配置されていることなどによって、更に、基準ガイド軸のスピンドル軸に対する位置精度を向上させることができる。
【００８７】
尚、上記した実施の形態及び変形例において示した各部の形状及び構造は、何れも本発明を実施するに当たって行う具体化のほんの一例を示したものにすぎず、これらによって本発明の技術的範囲が限定的に解釈されるようなことがあってはならないものである。
【図面の簡単な説明】
【図１】  図２乃至図１３と共に、本発明記録媒体駆動装置の実施の形態を示すものであり、本図はトレイが外筐から引き出された状態を示す全体の斜視図である。
【図２】 全体の分解斜視図である。
【図３】  ベースユニットの平面図である。
【図４】  ベースユニットの底面図である。
【図５】  要部の分解斜視図である。
【図６】  要部を拡大して示す平面図である。
【図７】  図６におけるＡ矢視図である。
【図８】  要部を拡大して示す底面図である。
【図９】  図３のＩＸ−ＩＸ線に沿う断面図である。
【図１０】  図３のＸ−Ｘ線に沿う断面図である。
【図１１】  移動ベースとラック部材とを分離して示す斜視図である。
【図１２】  図３のＸＩＩ−ＸＩＩ線に沿う断面図である。
【図１３】  光ピックアップがＣＤ−ＲＯＭの最外周に位置している状態を示す平面図である。
【図１４】  図１５及び図１６と共に、押圧手段の変形例を示すもので、本図は、要部を拡大して示す平面図である。
【図１５】  図１４におけるＢ矢視図である。
【図１６】  要部を拡大して示す底面図である。
【符号の説明】
１…ＣＤ−ＲＯＭドライブ（ディスクドライブ装置）、９…ＣＤ−ＲＯＭ（記録媒体）、１０…凹部、１３…シャーシ、１５…スピンドルモータ（駆動手段）、１６…光ピックアップ（情報の記録又は再生を行う手段）、１７…基準ガイド軸（ガイド軸）、１７ａ…外周側端部（他端部）、１７ｂ…内周側端部（一端部）、１８…サブガイド軸（ガイド軸）、２２…ステータ基板（支持板）、２３ｂ…基準支柱（基準部）、２７…押付片（押圧手段）、２７Ａ…押付片（押圧手段）、３２…ガイド軸支持板（支持板）、３３…基準ガイド軸支持部、３４…サブガイド軸連結部（サブガイド軸支持部）
【図１】
0003991435.tif 000002
【図２】
0003991435.tif 000003
【図３】
0003991435.tif 000004
【図４】
0003991435.tif 000005
【図５】
0003991435.tif 000006
【図６】
0003991435.tif 000007
【図７】
0003991435.tif 000008
【図８】
0003991435.tif 000009
【図９】
0003991435.tif 000010
【図１０】
0003991435.tif 000011
【図１１】
0003991435.tif 000012
【図１２】
0003991435.tif 000013
【図１３】
0003991435.tif 000014
【図１４】
0003991435.tif 000015
【図１５】
0003991435.tif 000016
【図１６】
0003991435.tif 000017